(57)【要約】【課題】サッシ窓枠の全幅にわたって完全に防虫網による覆いを行うことができるようになし、完全な防虫を行うことができると共に通風と換気を一層効率よく行うことができるようにする。【解決手段】網戸本体１Ａの幅Ｗを、既設の網戸１０３における開放側の縦桟１０３ａの端面と、サッシ窓枠における開口枠１００の縦枠との間隔より僅かに小さい幅とする。前記網戸本体１Ａにおける縦桟４、５の一方に、網戸本体１Ａの幅方向に移動自在とし且つ適宜の張り出し位置にて固定し得るようになした隙間補充板７を取り付ける。【選択図】図６
0003145400.tif 000002
【実用新案登録請求の範囲】
【請求項１】
所定の幅に構成した網戸本体におる縦桟の一方に、網戸本体の幅方向に移動自在とし且つ適宜の張り出し位置にて固定し得るようになした隙間補充板を取り付けたことを特徴とする網戸。
【請求項２】
隙間補充板を網戸本体の幅方向に移動自在とし且つ適宜の張り出し位置にて固定し得るようになす手段が、隙間補充板に、その上下方向の複数個所に網戸本体の幅方向に沿った長孔を穿設すると共に、該長孔に挿通した固定用ネジを網戸本体における縦桟に螺入することによって行うようになした手段である請求項１記載の網戸。
【請求項３】
網戸本体の幅を、既設の網戸における開放側の縦桟の端面と、サッシ窓枠における開口枠の縦枠との間隔より僅かに小さい幅となした請求項１又は２記載の網戸。
【請求項４】
網戸本体の幅を、サッシ窓枠における開口枠の縦枠間の間隔より僅かに小さい幅となした請求項１又は２記載の網戸。
【請求項５】
網戸本体における上桟と下桟の中央部内面に摘子部材を取着してなる請求項１、２、３又は４記載の網戸。
【考案の詳細な説明】
【技術分野】
【０００１】  本考案は網戸用レール付サッシ窓枠に設置する網戸に関し、更に詳細にはサッシ窓枠の全幅にわたって完全に防虫網による覆いを行うことができるようになした網戸に係わる。
【背景技術】
【０００２】  網戸用レール付サッシ窓枠は、上枠、下枠、左右の縦枠を四方組みして開口枠を構成し、該開口枠に内硝子戸、外硝子戸、網戸を引き違いに嵌め込んでなるものである。【０００３】  而して、該網戸用レール付サッシ窓枠の開口枠に嵌め込んでいる網戸は、蚊や小虫等の外部からの侵入を防ぐと共に窓を開放して通風、換気を良くするために用いられるものである。【０００４】  ところで、従来の網戸は、その幅がサッシ窓枠における開口枠の幅の約半分である。そして、図１４に示す如く、通常はサッシ窓枠における開口枠１００（図においては左右の縦枠のみを示している。）に、部屋の内側から内硝子戸１０１、外硝子戸１０２、網戸１０３の順に嵌め込まれ、これらは引き違いになっている。【０００５】  そしてまた、通常は、図１５に示す如く、外硝子戸１０２の一方の縦桟１０２ａと網戸１０３の一方の縦桟１０３ａとが重なる状態において内硝子戸１０１を開放するようにしている。この場合には内硝子戸１０１側は全開することもできれば途中までの開放もでき。開放部分の面積は自由に調整することができる。また、蚊や小虫等の侵入も完全ではないにしろある程度は防ぐことができる。【０００６】  ところが、図１６に示す如く、場合によってやむを得ず内硝子戸１０１はそのままで外硝子戸１０２の方を開放する場合がある。例えば、人家が密集する都市部において隣の家と近過ぎる場合にあっては、通常と異なり外硝子戸１０２の方を開放するようにせざるを得ない。尚、勿論この場合には網戸１０３を反対側に移動させる。【０００７】  しかし、このように外硝子戸１０２の方を開放すると、網戸１０３の縦桟１０３ｂと外硝子戸１０２の硝子との隙間、外硝子戸１０２の一方の縦桟１０２ｂと網戸１０３の網との隙間、更には外硝子戸１０２の一方の縦桟１０２ａと内硝子戸１０１の硝子との隙間から蚊や小虫等が外部から侵入する。
【考案の開示】
【考案が解決しようとする課題】
【０００８】  本考案は上記の点に鑑みなされたものであって、サッシ窓枠の全幅にわたって完全に防虫網による覆いを行うことができるようになし、もって完全に蚊や小虫等の外部からの侵入を防ぐことができると共に、開放するときには内硝子戸と外硝子戸のいずれをも且つまた開放する度合いも自由に行うことができ、加えて内硝子戸と外硝子戸を中央側において重なるように寄せ、夫々の両側、即ちサッシ窓枠の両外側部分を同時に開放することにより、通風と換気を一層効率よく行うことができるようになした網戸を提供しようとするものである。
【課題を解決するための手段】
【０００９】  而して、本考案の要旨とするところは、所定の幅に構成した網戸本体におる縦桟の一方に、網戸本体の幅方向に移動自在とし且つ適宜の張り出し位置にて固定し得るようになした隙間補充板を取り付けたことを特徴とする網戸にある。【００１０】  また、上記構成において、隙間補充板を網戸本体の幅方向に移動自在とし且つ適宜の張り出し位置にて固定し得るようになす手段を、隙間補充板に、その上下方向の複数個所に網戸本体の幅方向に沿った長孔を穿設すると共に、該長孔に挿通した固定用ネジを網戸本体における縦桟に螺入することによって行うようになした手段としてもよい。【００１１】  また、上記構成において、網戸本体の幅を、既設の網戸における開放側の縦桟の端面と、サッシ窓枠における開口枠の縦枠との間隔より僅かに小さい幅となしてもよい。この場合には、既設の網戸はそのまま利用し、これに本考案に係る網戸を足して、サッシ窓枠の全幅にわたって完全に防虫網による覆いを行うものである。【００１２】  また、上記構成において、網戸本体の幅を、サッシ窓枠における開口枠の縦枠間の間隔より僅かに小さい幅となしてもよい。この場合には、本考案に係る網戸をもってサッシ窓枠の全幅にわたって完全に防虫網による覆いを行うものである。【００１３】  また、上記構成において、網戸本体における上桟と下桟の中央部内面に摘子部材を取着するようにしてもよい。このようになした場合には、網戸を部屋の内側からしか取り付け、取り外しができないときにおいて、摘子部材を摘んで網戸を支持することにより、手際よく行うことができるようになるものである。
【考案の効果】
【００１４】  本考案は上記の如き構成であるから、サッシ窓枠の全幅にわたって完全に防虫網による覆いを行うことができるようになるものである。したがって、完全に蚊や小虫等の外部からの侵入を防ぐことができると共に、開放するときには内硝子戸と外硝子戸のいずれをも且つまた開放する度合いも自由に行うことができ、加えて内硝子戸と外硝子戸を中央側において重なるように寄せ、夫々の両側、即ちサッシ窓枠の両外側部分を同時に開放することにより、通風と換気を一層効率よく行うことができるようになるものである。【００１５】  また、網戸本体の幅を、既設の網戸における開放側の縦桟の端面と、サッシ窓枠における開口枠の縦枠との間隔より僅かに小さい幅となした場合には、既設の網戸はそのまま利用し、これに本考案に係る網戸を足して、サッシ窓枠の全幅にわたって完全に防虫網による覆いを行うことができるようになるものである。【００１６】  また、網戸本体の幅を、サッシ窓枠における開口枠の縦枠間の間隔より僅かに小さい幅となした場合には、本考案に係る網戸をもってサッシ窓枠の全幅にわたって完全に防虫網による覆いを行うことができようになるものである。【００１７】  また、網戸本体における上桟と下桟の中央部内面に摘子部材を取着するようになした場合には、網戸を部屋の内側からしか取り付け、取り外しができないときにおいて、摘子部材を摘んで網戸を支持することにより、手際よく行うことができるようになるものである。
【考案を実施するための最良の形態】
【００１８】  以下、本考案に係る網戸を実施するための最良の形態について、図面を参照して説明する。【００１９】  図１は本考案の第１実施形態に係る網戸の背面図、図２は図１中Ａ部分の拡大斜視図、図３は網戸本体と隙間補充板の部分拡大断面図、図４は図１中Ｂ部分の拡大斜視図、図５はサッシ窓枠に設置した状態の横断平面図、図６はサッシ窓枠に設置した状態の斜視図、図７及び図８は作用説明図である。【００２０】  図中、１は網戸であり、上桟２、下桟３、左右の縦桟４、５とを四方組みして網戸本体１Ａを構成し、内部に防虫網６を張設してなるものである。尚、図示した網戸１は出窓等に設置するサイズの小さなものを示している。【００２１】  また、該網戸１は、その網戸本体１Ａの幅Ｗを、既設の網戸１０３における開放側の縦桟１０３ａの端面と、サッシ窓枠における開口枠１００の縦枠との間隔Ｌより僅かに小さい幅となしている。そしてまた、前記網戸本体１Ａにおける縦桟４、５の一方に、網戸本体１Ａの幅方向に移動自在とし且つ適宜の張り出し位置にて固定し得るようになした隙間補充板７を取り付けている。また、斯かる隙間補充板７を網戸本体１Ａの幅方向に移動自在とし且つ適宜の張り出し位置にて固定し得るようになす手段として、本実施形態においては、隙間補充板７に、その上下方向の複数個所に網戸本体１Ａの幅方向に沿った長孔８、８を穿設すると共に、該長孔８、８に挿通した固定用ネジ９、９を網戸本体１Ａにおける縦桟４に螺入することによって行うようになした手段を採用している。【００２２】  １０、１０は前記網戸本体１Ａにおける上桟２と下桟３の中央部内面に取着した摘子部材である。【００２３】  次に、本実施形態の作用について説明する。
本実施形態は、既設の網戸１０３はそのまま利用し、これに本考案に係る網戸１を足して、サッシ窓枠の全幅にわたって防虫網による覆いを行うものである。そして、網戸１をサッシ窓枠の開口枠１００に設置するときには、固定用ネジ９を緩めて隙間補充板７を内側に引っ込めた状態において網戸本体１Ａを開口枠１００内に嵌め込み、そしてその後隙間補充板７を横方向に張り出して、その端面が開口枠１００の縦枠内面に密着した状態において固定用ネジ９を締め付けるものである。【００２４】  これにより、図５乃至図７に示す如く、サッシ窓枠の全幅にわたって完全に防虫網による覆いを行うことができるようになるものである。したがって、完全に蚊や小虫等の外部からの侵入を防ぐことができると共に、開放するときには内硝子戸１０１と外硝子戸１０２のいずれをも且つまた開放する度合いも自由に行うことができ、加えて図８に示す如く、内硝子戸１０１と外硝子戸１０２を中央側において重なるように寄せ、夫々の両側、即ちサッシ窓枠の両外側部分を同時に開放することにより、通風と換気を一層効率よく行うことができるようになるものである【００２５】  また、前記網戸本体１Ａにおける上桟２と下桟３の中央部内面に摘子部材１０、１０を取着したから、網戸１を部屋の内側からしか取り付け、取り外しができないときにおいて、摘子部材１０、１０を摘んで網戸１を支持することにより、手際よく行うことができるようになるものである。【００２６】    次に、図９乃至図１３に示した本考案の第２実施形態について説明する。
本実施形態は、本実施形態に係る網戸をもってサッシ窓枠の全幅にわたって完全に防虫網による覆いを行うものであり、本実施形態においては、網戸本体１Ａの幅Ｗ２を、サッシ窓枠における開口枠１００の縦枠間の間隔Ｌ２より僅かに小さい幅となしている。尚、その他の構成並びに作用は前記第１実施形態と同様であるから、同一の部材には同一の符号を付して詳細な説明は省略する。
【図面の簡単な説明】
【００２７】
【図１】本考案の第１実施形態係る網戸の背面図である。
【図２】図１中Ａ分の拡大斜視図である。
【図３】網戸本体と隙間補充板の部分拡大断面図である。
【図４】図１中Ｂ分の拡大斜視図である。
【図５】サッシ窓枠に設置した状態の横断平面図である。
【図６】サッシ窓枠に設置した状態の斜視図である。
【図７】作用説明図である。
【図８】作用説明図であり、サッシ窓枠の両外側部分を開放した状態を示すものである。
【図９】本考案の第２実施形態に係る網戸の背面図である。
【図１０】サッシ窓枠に設置した状態の横断平面図である。
【図１１】サッシ窓枠に設置した状態の斜視図である。
【図１２】作用説明図である。
【図１３】作用説明図であり、サッシ窓枠の両外側部分を開放した状態を示すものである。
【図１４】従来のサッシ窓枠の構成説明図である。
【図１５】従来のサッシ窓枠において内硝子戸を開放した状態の説明図である。
【図１６】従来のサッシ窓枠において外硝子戸を開放した状態の説明図である。
【符号の説明】
【００２８】  １  網戸
１Ａ  網戸本体
２  上桟
３  下桟
４、５  縦桟
６  防虫網
７  隙間補充板
８、８  長孔
９、９  固定用ネジ
１０、１０  摘子部材
【図１】
0003145400.tif 000003
【図２】
0003145400.tif 000004
【図３】
0003145400.tif 000005
【図４】
0003145400.tif 000006
【図５】
0003145400.tif 000007
【図６】
0003145400.tif 000008
【図７】
0003145400.tif 000009
【図８】
0003145400.tif 000010
【図９】
0003145400.tif 000011
【図１０】
0003145400.tif 000012
【図１１】
0003145400.tif 000013
【図１２】
0003145400.tif 000014
【図１３】
0003145400.tif 000015
【図１４】
0003145400.tif 000016
【図１５】
0003145400.tif 000017
【図１６】
0003145400.tif 000018